(57)【特許請求の範囲】
【請求項１】
産婦人科分娩台や医療用ベッドにおける寝台のフェンスであって、前記寝台の裏面側に固定されたガイドブロックと、該ガイドブロックに対して進退可能に嵌合された調整ネジと、前記ガイドブロックに固定された軸受けと、前記調整ネジに固定された軸受けと、前記２つの軸受けに進退および回転可能に軸受けされたスライドシャフトと、該スライドシャフトの前記寝台より側面側に突出した先端に固定されたフェンスとより構成し、前記２つの軸受けで軸受けされたスライドシャフトを引き出し、かつ、寝台の上側に回転することで固定され、また、前記調整ネジを前記ガイドブロックに対して進退して前記２つの軸受けの間隔を調整することで、該軸受けと前記スライドシャフトとの摩擦抵抗を可変できるようにしたことを特徴とする寝台のフェンス装置。
【発明の詳細な説明】
【０００１】
【発明の属する技術分野】
本発明は、産婦人科等で使用する産科分娩台や医療用ベット等に設けられ、患者の身体を保持するための寝台のフェンスに関する。
【０００２】
【従来の技術】
従来の従来の分娩台や医療用ベツト等（以下分娩台等という）には、通常分娩が近づいた時に、ベット状態になった分娩台に患者を寝かせ、患者は側臥位状態または仰臥状態で分娩を待ち、分娩する際は背凭れを起こして分娩をするようにしている。
【０００３】
その際に使用する分娩台等は、一般的には患者を保持するためのサイドフェンス等は装着されておらず、サイドフェンス等を使用する場合は、背凭れ両側部に設けられる支持杆等に別の場所に置かれるフェンスをその都度取付け固定して使用するようにしている。使用しない時はそのフェンスを取り外して別の場所に置くようにしている。
【０００４】
また、病室等に置かれる分娩台等では、通常ベットに設けられるベットフェンスはあるものの固定もしくは前記したように取付け、取外しするもの、またベット両サイドに設けられるフェンスを回転もしくは上下にスライドさせてベットの横に位置させて使用するものはある。
【０００５】
【発明が解決しようとする課題】
前記した寝台のフェンス装置は、サイドフェンスが設置されていない分娩台等に関しては、患者が側臥位状態でいる時は、自分の身体を保持するものがないために患者にとって、不安定な状態となり、且つ看護婦においても安心して患者から離れることができないという問題がある。
【０００６】
また前記した病室設置を前提としている分娩台等において、取付け、取外して使用するベットフェンスにおいてはその作業が伴い、患者の乗降時には、看護婦等にとっては面倒且つ負担の掛かる作業となっている。
【０００７】
また、フェンスを回転もしくは上下にスライドさせるものにおいては、患者をストレッチャーで分娩台に横付けして乗降させる際には、サイドフェンスの幅だけ隙間が発生するためクッションからクッションへの移動が困難で、患者に対して不快感を与え、且つ看護婦にも負担が掛かるという問題がある。
さらには幅も広くなるため、分娩の際に邪魔になることもあり、美観を損なうという問題がある。
【０００８】
本発明は前記した問題点を解決せんとするもので、その目的とするところは、フェンスを使用する際は、患者を十分に保持でき、不使用状態では、患者の分娩台等からの乗り降りまたはストレッチヤー等への移動の際に邪魔にならないようにする。
【０００９】
【課題を解決するための手段】
本発明の寝台のフェンスは前記した目的を達成せんとするもので、請求項１の手段は、産婦人科分娩台や医療用ベッドにおける寝台のフェンスであって、前記寝台の裏面側に固定されたガイドブロックと、該ガイドブロックに対して進退可能に嵌合された調整ネジと、前記ガイドブロックに固定された軸受けと、前記調整ネジに固定された軸受けと、前記２つの軸受けに進退および回転可能に軸受けされたスライドシャフトと、該スライドシャフトの前記寝台より側面側に突出した先端に固定されたフェンスとより構成し、前記２つの軸受けで軸受けされたスライドシャフトを引き出し、かつ、寝台の上側に回転することで固定され、また、前記調整ネジを前記ガイドブロックに対して進退して前記２つの軸受けの間隔を調整することで、該軸受けと前記スライドシャフトとの摩擦抵抗を可変できるようにしたことを特徴と
【００１０】
【発明の実施の形態】
次に、本発明のフェンス装置を実施した産科分娩台の一例を図面について、以下に説明する。
図１はフェンスが装備された状態の産科分娩台の全体斜視図、図２はフェンスの要部側面図、図３はフェンスが収容された状態の要部の部分断面図、図４はフェンス使用状態の部分断面図、図５はスライド部の部分断面図である。
【００１１】
１は略水平位置から略９０゜起立位置間で動作する背凭れシートであり、基板２に取り付けられている。３は該基板に設けられる取付基板であり、３ａは該取付基板から突出するＬ型支持板である。
４は該取付基板に取付けられるガイドブロックであり、４ａは後述する調整ネジ５の内面のネジ５ａと螺合するネジ部である。
また４ｂは開放部を有し、４ｃはリング形状を成し一部開放部を有する軸受けである。さらには４ｄは後述する係止ピン７ａが係止される係止部である。
【００１２】
５は調整ネジであり、前記ガイドブロック４に設けられるネジ部４ａと螺合するネジ部５ａが設けられている。
また５ｂは開放部であり、５ｃはリング形状を成し一部開放部５ｄを有する軸受けである。また６は前記調整ネジ５を固定するためのナットである。
【００１３】
軸受け４ｃおよび軸受け５ｃはいずれも後述するスライドシャフト７に対して摺動するように設けられており、前記係止ピン７ａが係止部４ｄに係止している状態で、該ナット６を緩め、ガイドブロック４のネジ４ａと螺合している調整ネジ５のネジ５ａを緩めることによって、該軸受け５ｃは背凭れ１の内方向に移動し、軸受け４ｃとの距離を離すことができるようになっている。これによりスライドシャフト７に対して、軸受け４ｃおよび軸受け５ｃとの距離が離れることにより（ガイド部分が長くなることによって）摩擦抵抗を緩和するようにしている。
【００１４】
また軸受け４ｃとの距離を縮める時は、ネジ５ａを逆の方向へ回すことにより、軸受け４ｃと軸受け５ｃとの距離を縮めることができ（ガイド部分が短くなることによって）、逆にスライドシャフト７との摩擦抵抗を強くすることができるようになっている。
以上のように、ガイドブロック４に設けられる軸受け４ｃと前記調整ネジ５に設けられる軸受け５ｃ距離を変化させ調整するように設けられている。
【００１５】
７は前記ガイドブロック４および調整ネジ５内でスライド自在に設けられるスライドシャフトであり、該スライドシャフト７の適宜位置には係止ピン７ａが嵌着されている。
【００１６】
８はフェンスであり、前記スライドシャフト７に固定されるフェンス８の回転基部８ａおよび該回転基部８ａに固定される支板であり、それぞれが固着または一体的に形成されている。
９は一方が調整ネジ５に取付けられ、他方はスライドシャフト７の先端部に固定されるブロック１０に設けられ且つ内方向に付勢されるスプリングである。
【００１７】
以上の構成により、フェンス８が背凭れ１の背面に収容されている状態では、図３に示すように、フェンス８の円弧部分は下方に位置している状態となっており、且つフェンス８が取付けられるスライド用シャフト７は該スプリング９により内方向に付勢されているため、フェンスは背凭れ幅より内側に位置するようになっている。その際、スライドシャフト７は、該スライドシャフト７に設けられる係止ピン７ａがガイドブロック４の係止部４ｄに嵌着されることによって係止されている。
【００１８】
次に、フェンス８を使用しようとする時は、フェンス８を背凭れ１より外側方向に引張ってフェンス８を１８０゜回転させ、背凭れ１内側に戻して、スライドシャフト７に設けられるピン７ａを前記ガイドブロック５の係止部５ｄに係止させることによってフェンス８を係止させることができるようになっている。
従って、フェンス８を使用する際は、背凭れ１の背面より引張り出して、回転させ且つ係止することによって患者の保持を行うことができる
【００１９】
次に、フェンス８が設けられるスライドシャフト７を容易にスライドできないように、またスライドの摩擦抵抗を調整するための軸受４ｃおよび５ｃの作用について説明する。
【００２０】
スライド用シャフト７と軸受け４ｃおよび軸受け５ｃの２点で支承されることによって、容易にスライドできないようになっている。
しかしながら、看護婦等の補助する者にとっては、その強度調整が必要となり、従って、スライドシャフト７と軸受け４ｃおよび５ｃとの摩擦抵抗の調整については、摩擦抵抗を強くしようとする時は、ガイドブロック４に螺合する調整ネジ５をネジ４ａおよび５ａによって背凭れ外側方向へ動かし、軸受け４ｃと軸受け５ｃとの距離を近づけることにより摩擦抵抗を強くすることができる。
【００２１】
逆に前記軸受け４ｃと５ｃとの距離を離すことによってガイド部分が長くなり摩擦抵抗を弱くすることができるようになっている。
以上のことから、患者の保持を目的として使用するフェンス８は、使用時に患者が不用意に当たったり、分娩台に載った状態で患者自らが簡易にフェンス８を持ってスライドできないようにしている。すなわち前記スライドシャフト７の軸中心に近い方向から引っ張らなければ該フェンス８はスライドしないようにしている。
且つ、そのフェンス８のスライドできる摩擦抵抗の調整ができるようになっており、看護婦等の要求によって、容易にその摩擦抵抗を変化させることができるように工夫されている。
なお、前記した実施の形態にあっては、産科分娩台について説明したが、医療用ベットにも応用できることは勿論のことである。
【００２２】
【発明の効果】
以上述べたように、本発明に係る寝台のフェンス装置は、患者が側臥位状態または仰臥位状態でいる時は、フェンスが簡易に形成できるため、患者はフェンスを掴んで保持することができるため安心感を与えることができ、また看護婦においても安心して患者から離れることができる。
【００２３】
また病室設置を前提としている分娩台であっても、ベット状態であっても患者の乗り降りが容易に行え且つ患者を移動用ストレッチャーなどに移動させる際、フェンスが背凭れ背面に収容することができるため容易に患者を移すことができ、患者に対して不快感を与えることはない。
また取付け、取外して使用するベットフェンスに比べ、取付け、取り外しの作業が伴うことなく、看護婦等にとっても面倒且つ負担の掛かからないものとなっている。
【００２４】
さらには、患者が分娩台に載った状態で、容易にフェンスをスライドできないようにして係止固定されているため患者にとっても安全であるばかりでなく、スライドさせることのできる範囲を調整することができるため看護婦等にとっても取扱易い状態が得られるようになっている。
【図面の簡単な説明】
【図１】フェンスが装備された状態の産科分娩台の全体斜視図である。
【図２】フェンスの要部側面図である。
【図３】フェンスが収容された状態の要部の部分断面図である。
【図４】フェンス使用状態の部分断面図である。
【図５】スライド部の部分断面図である。
【符号の説明】
１          背凭れ
２          背凭れ基板
３          取付基板
４          ガイドブロック
４ａ        ネジ
４ｂ        開放部
４ｃ        軸受け
５          調整ネジ
５ａ        ネジ
５ｂ        開放部
５ｃ        軸受け
５ｄ        係止部
７          スライドシャフト
７ａ        係止ピン
８          フェンス
【図１】
0003660128.tif 000002
【図２】
0003660128.tif 000003
【図３】
0003660128.tif 000004
【図４】
0003660128.tif 000005
【図５】
0003660128.tif 000006